(57)【要約】【課題】ＧＰＳの電波を適切に受信することができるパッチアンテナの設置位置を容易に見つけ出すことができる。【解決手段】パッチアンテナ用補助地板１１は、車室内のダッシュボードに設置される。補助地板１１は、鋼板２１と、そのパッチアンテナ１２に対向する面（パッチアンテナ１２が置かれる側の面）２１Ａに貼付されたシール２２から構成されている。鋼板２１の面Ａおよびダッシュボードに対向する面２１Ｂのそれぞれは、見栄えよく、例えば黒色に塗装されている。シール２２には、マーク３１乃至マーク３３が印刷されている。マーク３１乃至マーク３３のそれぞれは、パッチアンテナ１２の設置位置を示す設置位置マーク３１Ａ、３２Ａ、３３Ａと、その表示に対応してパッチアンテナ１２が設置されたときのパッチアンテナ１２のアンテナ指向性を表す指向性マーク３１Ｂ、３２Ｂ、３３Ｂからなる。【選択図】図２
2005184112.tif 000002
【特許請求の範囲】
【請求項１】
パッチアンテナ用補助地板であって、
前記パッチアンテナ用補助地板の、前記パッチアンテナが設置される面に、前記パッチアンテナの設置位置を示す第１のマークと、前記第１のマークに対応して前記パッチアンテナが設置されたときの前記パッチアンテナの指向性を示す第２のマークが付されている
ことを特徴とするパッチアンテナ用補助地板。
【請求項２】
前記第１のマークまたは前記第２のマークは、前記パッチアンテナの設置後、消去できるように、前記パッチアンテナが設置される面に付されている
ことを特徴とする請求項１に記載のパッチアンテナ用補助地板。
【請求項３】
前記第１のマークまたは前記第２のマークは、前記パッチアンテナが設置される面に貼付された、剥離可能なシールに印刷されている
ことを特徴とする請求項２に記載のパッチアンテナ用補助地板。
【発明の詳細な説明】
【技術分野】
【０００１】
本発明は、パッチアンテナ用補助地板に関し、パッチアンテナの適切な設置位置を容易に見つけ出すことができるようにしたパッチアンテナ用補助地板に関するものである。
【背景技術】
【０００２】
図１には、地図情報をユーザに提供する車両用のナビゲーションシステムにおける、ＧＰＳ（Global Positioning System）の電波を受信するパッチアンテナ１の設置例が示されている。
【０００３】
パッチアンテナ１は、車両のルーフ（図示せず）上の他、盗難防止のために図１に示すように車内のダッシュボードＤ上に設置されることがある。
【０００４】
補助地板２は、ＰＥＴ（ポリエチレンテレフタレート）等でラミネートした金属薄板あるいは金属箔である。パッチアンテナ１は本来、ルーフ等の大きな面の導体に設置されたときに、十分な放射利得が得られるように設計されているので、樹脂でできているダッシュボードＤ上にそのまま設置されると、天頂方向のアンテナ利得が低下し、ＧＰＳの電波を十分に受信することができない。そこで、その天頂方向のアンテナ利得を向上させるためにこの補助地板２が用意されており、パッチアンテナ１は、その上に置かれて利用される。
【０００５】
この補助地板２は、例えば、パッチアンテナ１がその中央におかれたとき天頂方向のアンテナ利得が最大になるように正方形の形状となっている（特許文献１参照）。
【０００６】
【特許文献１】特開２００１−１４２４４７号公報
【発明の開示】
【発明が解決しようとする課題】
【０００７】
しかしながら、この補助地板２により天頂方向のアンテナ利得が得られても、天頂より車室側（図中、Ｂに付されている太い矢印の方向が示す側）からの衛星（図示せず）の電波は、車両のルーフにより遮断されるためパッチアンテナ１はその電波を受信できない課題があった。この場合ナビゲーション装置はＧＰＳ情報を得ることができないので、適切な道路案内を行うことができない。
【０００８】
本発明はこのような状況に鑑みてなされたものであり、パッチアンテナ１の補助地板２に対する設置位置によってＧＰＳの電波を適切に受信することができるとともに、適切な設置位置を容易に見つけ出すことができるようにしたものである。
【課題を解決するための手段】
【０００９】
本発明のパッチアンテナ用補助地板は、パッチアンテナ用補助地板の、パッチアンテナが設置される面に、パッチアンテナの設置位置を示す第１のマークと、第１のマークに対応してパッチアンテナが設置されたときのパッチアンテナの指向性を示す第２のマークが付されていることを特徴とする。
【００１０】
第１のマークまたは第２のマークは、パッチアンテナの設置後、消去できるように、パッチアンテナが設置される面に付されているようにすることができる。
【００１１】
第１のマークまたは第２のマークは、パッチアンテナが設置される面に貼付された、剥離可能なシールに印刷されているようにすることができる。
【発明の効果】
【００１２】
本発明によれば、パッチアンテナの補助地板に対する設置位置によってＧＰＳの電波を適切に受信することができるとともに、その設置位置を容易に見つけ出すことができる。
【発明を実施するための最良の形態】
【００１３】
以下に本発明の実施の形態を説明するが、本明細書に記載の発明と、発明の実施の形態との対応関係を例示すると、次のようになる。この記載は、本明細書に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１４】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により出現、追加される発明の存在を否定するものではない。
【００１５】
本発明のパッチアンテナ用補助地板は、パッチアンテナ用補助地板の、パッチアンテナが設置される面に、パッチアンテナの設置位置を示す第１のマーク（例えば、図２の設置位置マーク３１Ａ，３２Ａ，３３Ａ）と、第１のマークに対応してパッチアンテナが設置されたときのパッチアンテナの指向性を示す第２のマーク（例えば、図２の指向性マーク３１Ｂ，３２Ｂ，３３Ｂ）が付されていることを特徴とする。
【００１６】
第１のマークまたは第２のマークは、パッチアンテナの設置後、消去できるように、パッチアンテナが設置される面に付されているようにすることができる。
【００１７】
第１のマークまたは第２のマークは、パッチアンテナが設置される面に貼付された、剥離可能なシール（例えば、図２のシール２２）に印刷されているようにすることができる。
【００１８】
図２は、本発明を適用した、パッチアンテナ用補助地板１１の外観斜視図である。
【００１９】
パッチアンテナ用補助地板（以下、補助地板と略称する）１１は、図１に示した補助地板２と同様に、車室内のダッシュボードに設置される。補助地板１１は、鋼板２１と、そのパッチアンテナ１２に対向する面（パッチアンテナ１２が置かれる側の面）２１Ａに貼付されたシール２２から構成されている。鋼板２１の面Ａおよびダッシュボードに対向する面２１Ｂのそれぞれは、見栄えよく、例えば黒色に塗装されている。
【００２０】
シール２２には、マーク３１乃至マーク３３が印刷されている。マーク３１乃至マーク３３のそれぞれは、パッチアンテナ１２の設置位置を示す設置位置マーク３１Ａ、３２Ａ、３３Ａと、その表示に対応してパッチアンテナ１２が設置されたときのパッチアンテナ１２のアンテナ指向性を表す指向性マーク３１Ｂ、３２Ｂ、３３Ｂからなる。
【００２１】
パッチアンテナ１２は、筐体４１と、その内部に、図に示すように積層された、パッチ導体４２、給電点４３、誘導体４４、ＬＮＡ（低ノイズアンプ）４５等から構成されている。ＬＮＡ４５には、同軸ケーブル４６が接続されており、それを介して、受信されたＧＰＳ信号がカーナビ装置（図示せぬ）に送信されるようになされている。
【００２２】
次に、パッチアンテナ１２が、補助地板１１のマーク３１乃至３３の設置位置マーク３１Ａ乃至３３Ａに対応して設定された場合の、パッチアンテナ１２の指向性について説明する。
【００２３】
例えば、図３に示すように、パッチアンテナ１２の筐体底面の短辺の一方を、補助地板１１の設定位置マーク３１Ａに対応するように設置した場合のパッチアンテナ１２のアンテナ指向性について説明する。この場合、補助地板１１の、パッチアンテナ１２の位置を中心に前方Ｆ（例えば、車前方）側が、補助地板１１の短辺側になり、後方Ｂ（車後方）側が、長辺側になる。したがってこの場合、補助地板１１の前方Ｆ側で振動する電界に対する放射利得が、後方Ｂ側で振動する電界に対する放射利得より小さくなるため、図４に示すように、指向性は、前方Ｆ側に１５度だけ倒れる。なお図４中、「３１Ａ」が付された上向きの矢印は、図３の設定位置マーク３１Ａの位置を示している。
【００２４】
設置位置マーク３１Ａに対応する指向性マーク３１Ｂの「１５」は、この指向性の傾き１５度を示している。
【００２５】
次に、パッチアンテナ１２の筐体底面の短辺の一方を、補助地板１１の設定位置マーク３２Ａに対応するように設置した場合のパッチアンテナ１２のアンテナ指向性について説明する。この場合も、補助地板１１の、パッチアンテナ１２の位置を中心に前方Ｆ側が、補助地板１１の短辺側になり、後方Ｂ側が、長辺側になる。したがって、補助地板１１の前方Ｆ側で振動する電界に対する放射利得が、後方Ｂ側で振動する電界に対する放射利得より小さくなるため、指向性は前方側に倒れる。
【００２６】
しかしながらこの場合、補助地板１１の短辺側の広さと長辺側の広さの差が、設定位置マーク３１Ａに対応して設置された場合に比べて小さいので、その傾きは、図５に示すように、設定位置マーク３１Ａに対応して設置された場合に比べて小さい１０度となる。なお図５中、「３２Ａ」が付された上向きの矢印は、図３の設定位置マーク３２Ａの位置を示している。
【００２７】
設置位置マーク３２Ａに対応する指向性マーク３２Ｂの「１０」は、この指向性の傾き１０度を示している。
【００２８】
次に、パッチアンテナ１２の筐体底面の短辺の一方を、補助地板１１の設定位置マーク３３Ａに対応するように設置した場合のパッチアンテナ１２のアンテナ指向性について説明する。この場合も、補助地板１１の、パッチアンテナ１２の位置を中心に前方Ｆ側が、補助地板１１の短辺側になり、後方Ｂ側が、長辺側になる。したがって、補助地板１１の前方Ｆ側で振動する電界に対する放射利得が、後方Ｂ側で振動する電界に対する放射利得より小さくなるため、指向性は前方側に倒れる。
【００２９】
しかしながらこの場合、補助地板１１の短辺側の広さと長辺側の広さの差が、設定位置マーク３２Ａに対応して設置された場合に比べてさらに小さいので、その傾きは、図６に示すように、設定位置マーク３２Ａに対応して設置した場合に比べてさらに小さい５度となる。なお図６中、「３３Ａ」が付された上向きの矢印は、図３の設定位置マーク３３Ａの位置を示している。
【００３０】
設置位置マーク３３Ａに対応する指向性マーク３３Ｂの「５」は、この指向性の傾き５度を示している。
【００３１】
このようにパッチアンテナ１２の設置位置を、設置位置マーク３１Ａ乃至３３Ａに合わせて設置することにより、その指向性を変更することができるので、ＧＰＳの電波を適切に受信することができるようになる。
【００３２】
なお設置位置マーク３１Ａ乃至３３Ａは、図２に示したものに限定されるものではなく、図７に示すように他の形態の表示とすることもできる。
【００３３】
マーク３１の指向性マーク３１Ｂ乃至３３Ｂは、図４乃至図６で示したように、指向性の角度を表す「１５」、「１０」、「５」である。すなわちユーザは、そのマークから、対応する設置位置マーク３１Ａ乃至３３Ａにパッチアンテナ１２を設置したときの指向性の方向を容易に意識することができるので、パッチアンテナ１２の設置位置を容易に決定することができる。なお指向性マーク３１Ｂ乃至３３Ｂは、指向性の角度を示す数字に限定されるものではなく、他の表示とすることができる。
【００３４】
マーク３１乃至マーク３３は、シール２２に印刷されているが、パッチアンテナ１２の位置を確定した後、そのシール２２をはがすことにより、例えば、図８に示すように、マーク３１乃至マーク３３を消去でき、美感を損なわずにパッチアンテナ１２をその位置に設置することができる。
【００３５】
なおここではマーク３１乃至マーク３３をシール２２に印刷することにより、マーク３１乃至マーク３３を消去するようにしたが、パッチアンテナ１２の設置後それらを消去できるものであれば、他の方法を採用することもできる。
【図面の簡単な説明】
【００３６】
【図１】パッチアンテナの従来の設置例を示す図である。
【図２】本発明を適用したパッチアンテナ用補助地板の外観構成を示す図である。
【図３】図２の補助地板へのパッチアンテナの設置例を示す図である。
【図４】パッチアンテナの、設置位置に応じた指向性を説明する図である。
【図５】パッチアンテナの、設置位置に応じた指向性を説明する他の図である。
【図６】パッチアンテナの、設置位置に応じた指向性を説明する他の図である。
【図７】設置位置マークの他の例を示す図である。
【図８】図２の補助地板へのパッチアンテナの設置例を示す他の図である。
【符号の説明】
【００３７】
１１  パッチアンテナ用補助地板，  １２  パッチアンテナ，  ２１  鋼板，  ２１Ａ  面，  ２１Ｂ  面，  ２２  シール，  ３１  マーク，  ３１Ａ  設置位置マーク，  ３１Ｂ  指向性マーク，  ３２  マーク，  ３２Ａ  設置位置マーク，  ３２Ｂ  指向性マーク，  ３３  マーク，  ３３Ａ  設置位置マーク，  ３３Ｂ  指向性表示
【図１】
2005184112.tif 000003
【図２】
2005184112.tif 000004
【図３】
2005184112.tif 000005
【図４】
2005184112.tif 000006
【図５】
2005184112.tif 000007
【図６】
2005184112.tif 000008
【図７】
2005184112.tif 000009
【図８】
2005184112.tif 000010